(57)【要約】      （修正有）【課題】空気拡散を実現する風向制御機構の製造容易化を実現した空調装置の提供。【解決手段】空調対象室内（主としてキノコ栽培室）の上方部分に設置して別置冷蔵冷凍装置で冷却したブラインが供給されるフィンチューブ体２と、フィンチューブ体２の背面に設けた送風機構３と、フィンチューブ体の前部に設けた回転軸４１、及び回転軸４１に一定間隔で装着した風向板４２からなる風向制御機構４を設けた空調装置において、風向板４２が円形又は楕円形で、回転軸装着部分の適宜幅を回転軸と直交する装着面部とし、装着面部の両側を、回転軸４１に対して適宜に傾斜させた風向制御面部４２２としてなる。【選択図】図２
0003108341.tif 000002
【実用新案登録請求の範囲】
【請求項１】
空調対象室内の上方部分に設置して別置冷蔵冷凍装置で冷却したブラインが供給されるフィンチューブ体と、フィンチューブ体の背面に設けた送風機構と、フィンチューブ体前部に設けた回転軸、及び回転軸に一定間隔で装着した風向板からなる風向制御機構を設けた空調装置において、前記風向板が円形又は楕円形で、回転軸装着部分の適宜幅を回転軸と直交する装着面部とし、前記装着面部の両側を、回転軸に対して適宜に傾斜させた風向制御面部としてなることを特徴とする空調装置。
【請求項２】
フィンチューブ体と風向制御機構との間に暖房用放熱部を配設してなる請求項１記載の空調装置。
【考案の詳細な説明】
【技術分野】
【０００１】
本考案は、主としてキノコ栽培室などの室温調整に使用する空調装置に関するものである。
【背景技術】
【０００２】
キノコの人工栽培は、一般に広口のキノコ栽培瓶に培地を充填し、充填培地にキノコの菌糸を植え付け、そして菌糸を繁殖させ、子実体であるキノコを収穫するもので、前記の栽培に際して、菌糸の繁殖は１３〜２０℃が最適であり、栽培は室温調整が可能な栽培室内で行われている。
【０００３】
前記の室温調整をなす空調装置（冷房装置）においては、栽培室内上下の室温が均一となるように、天井設置の冷房装置（ファンコイル）の吹き出し口に風向制御機構を設けている。この風向制御機構は、特開２００１−１７４０４２号公報（特許文献１）や特開平１０−２５３１４１号公報（特許文献２）に開示されているとおり、回転軸に円形又は楕円形の風向板を、一定間隔で傾斜装着し、適宜速度で回転軸を回転させて、冷風の吹き出し方向を変化させて室温の均一化を図ると共に、空気の澱みによるキノコ生育への悪影響を防止している。
【０００４】
【特許文献１】特開２００１−１７４０４２号公報。
【特許文献２】特開平１０−２５３１４１号公報。
【考案の開示】
【考案が解決しようとする課題】
【０００５】
前記した風向制御機構は、円形又は楕円形の風向板を、一定間隔で回転軸に傾斜装着しているもので、前記風向板の中心には傾斜角度に対応した楕円の回転軸挿通孔を穿設しなければならないし、更に一定の傾斜角度で固定装着する必要があり、製造が煩雑である。
【０００６】
またこれらの空調装置は一般に冷房機能のみを備え、暖房機能を備えていない。即ち暖房設備は一般に別置ボイラーを使用し、栽培室内に放熱部を備え、室内全体を暖めるようにしているため、室内上方部に設置する栽培室用空調装置は冷房機能のみを備えるようになっている。
【０００７】
そこで本考案は、製造容易な攪拌機構を備え、また暖房機能も付与した新規な冷暖房用装置を提案したものである。
【課題を解決するための手段】
【０００８】
本考案に係る空調装置は、空調対象室内の上方部分に設置して別置冷蔵冷凍装置で冷却したブラインが供給されるフィンチューブ体と、フィンチューブ体の背面に設けた送風機構と、フィンチューブ体前部に設けた回転軸、及び回転軸に一定間隔で装着した風向板からなる風向制御機構を設けた空調装置において、前記風向板が円形又は楕円形で、回転軸装着部分の適宜幅を回転軸と直交する装着面部とし、前記装着面部の両側を、回転軸に対して適宜に傾斜させた風向制御面部としてなることを特徴とするものである。
【０００９】
また特に前記空調装置において、更にフィンチューブ体と風向制御機構との間に暖房用放熱部を配設してなるものである。
【００１０】
従ってフィンチューブ体に冷却されたブラインを供給し、送風機構並びに風向制御機構を動作させると、冷風が空調対象室内（主としてキノコ栽培室）に供給されるが、風向制御機構の動作で、送風機構の吹き出し方向に対して風向制御面部の相対角度が変化するので、冷風の吹き出し方向が随時変化し、室内の空調による室温調整がより均一化されることになる。
【００１１】
またフィンチューブ体に対する冷却ブラインの供給を停止し、冷房用放熱部を発熱させ、送風機構並びに風向制御機構を動作させると、温風が室内に供給されることになる。
【考案の効果】
【００１２】
本考案は、風向板の回転軸への装着部分を回転軸に対して直交するように設けたものであるから、風向板の装着孔が円形となり、風向板の加工並びに回転軸への固定作業が容易になり、風向制御機構の製造が簡素化される。
【００１３】
また暖房用放熱部を付設することで、ボイラー運転による本格的な暖房実施を必要とする期間の前後の晩秋や初秋における簡易な暖房を容易に実施することができ、本格的な暖房装置を効率的に稼動できる。
【考案を実施するための最良の形態】
【００１４】
次に本考案の実施形態について説明する。実施形態の空調装置は、ベース本体１と、ベース本体１に組み込まれるフィンチューブ体２、送風機構３、風向制御機構４、暖房用放熱部５で構成される。
【００１５】
ベース本体１は、各機構部を組み込んで、空調対象室（主としてキノコ栽培室）の天井や、天井近辺の壁面などに設置するための所定の取付構造を備えているものである。
【００１６】
フィンチューブ体２と送風機構３は所謂ファンコイルであり、周知のとおりフィンチューブ体２は、迂回冷却管２１と多数のフィン２２で形成され、迂回冷却管２１と室外に設置している冷蔵冷凍装置と接続され、冷却したブラインの供給を受け、フィンチューブ体２の背面に設けた送風機構（ファン）３の回転で室内への冷風供給を行うものである。
【００１７】
風向制御機構４は、フィンチューブ体２の前面に配置した回転軸４１及び回転軸４１に一定間隔で装着した風向板４２と、前記回転軸４１を動作させる回転駆動部４３で構成される。
【００１８】
特に風向板４２は、円形又は楕円形で、回転軸４１への装着部分の適宜幅を回転軸と直交する装着面部４２１とし、前記装着面部４２１の両側を、回転軸４１に対して適宜に傾斜させた風向制御面部４２２としてなる。尚風向制御面部４２２の傾斜角度は、空調対象室に設置した複数の空調装置の配置関係から、最も効率的に室内温度の均一化が図れるように決定する。
【００１９】
暖房用放熱部５は、電熱管を単独に配置したり、電熱管に放熱フィンを付設したり、温水管に放熱フィンを設けるなど任意の構造である。
【００２０】
而して夏期においては、フィンチューブ体２の迂回冷却管２１に室外の冷房冷凍装置で冷却されたブラインを供給し、送風機構３を動作させると、フィンチューブ体２を通過した空気が冷却され冷風となってフィンチューブ体２のフィン２２の間から吹き出す。
【００２１】
同時に回転軸４１をゆっくりと回転させて風向制御機構４を動作させると、冷風の吹き出し方向に対して風向制御面部４２２の相対角度が緩やかに変化するので、冷風の吹き出し方向が左右上下に随時ゆっくりと変化して室内に供給され、空調による室温調整がより均一化される。
【００２２】
また暖房運転に際しては、フィンチューブ体２への冷却ブレインの供給を停止し、暖房用放熱部５への通電又は通湯を行い、同時に送風機構３及び風向制御機構４を動作させる。これによって室内に冷房時と同様に温風の拡散供給が実現する。
【図面の簡単な説明】
【００２３】
【図１】本考案の実施形態の風向制御機構を示したもので、（イ）は平面図（ロ）は正面図。
【図２】同装置全体の一部切断した側面図。
【図３】同装置全体の一部切断した正面図。
【符号の説明】
【００２４】
１        ベース本体
２        フィンチューブ体
２１      迂回冷却管
２２      フィン
３        送風機構（ファン）
４        風向制御機構
４１      回転軸
４２      風向板
４２１    装着面部
４２２    風向制御面部
４３      回転駆動部
５        暖房用放熱部
【図１】
0003108341.tif 000003
【図２】
0003108341.tif 000004
【図３】
0003108341.tif 000005